(57)【要約】【課題】従来技術では、、配備される一本のＰＤ線に対してＰＤ接合状態を目視するインジケーターは、ＥＦ継手のインジケーターに準じて、２箇所のみにだけ配備されているので全体のＰＤ接合状態を全体について確認することができないという問題の解決することを第一課題とする。【解決手段】配備される一本のＰＤ線に対してＰＤ接合状態を目視するインジケーターを全体に複数個散らして配備してＰＤ接合の状態を全体について確認出来るインジケーターの配置構造を第一課題の解決手段とする。【選択図】図１
2019002428.tif 000002
【特許請求の範囲】
【請求項１】
ＰＤ継手やＰＤ部品における接合面と反対の外表面側に配備されるインジケーターは、ＰＤ接合する接合面に平行な平面上あるいは円周面上であって、ＰＤ継手やＰＤ部品の本体に埋め込まれて配備されたＰＤ線と間隔を空けてＰＤ線に乗るように配置され、一本のＰＤ線配置ブロックにおいて複数箇所に配備される特徴を有するＰＤ接合用のインジケーターの配置構造。
【請求項２】
請求項１に記載のＰＤ接合用のインジケーターの配置構造が、それぞれ独立する一本のＰＤ線配置ブロックに配備され、当該配置ブロックを複数ブロック配備する特徴を有するＰＤ接合用のインジケーターの複数ブロック配置構造。
【請求項３】
一列状あるいは複数列状ならびに千鳥状の配列形状を特徴とするインジケーターの配列形状を有する請求項１および請求項２に記載のＰＤ接合用のインジケーターの配置構造。
【請求項４】
請求項１ならびに請求項２ならびに請求項３に記載のインジケーターを配備する特徴を有する一群のＰＤ継手ならびに一群のＰＤ部品。
【請求項５】
ＰＤ接合に使用するＰＤ線に入光される光線は、波長１０６４ｎｍのＮｄ：ＹＡＧレーザー光線、あるいは、０．７８μｍより１０００μｍの赤外線波長域の光線、あるいは、赤外線波長域の光線と可視光線や紫外線などの波長域も含んだ光線の特徴を有するＰＤ接合に使用する光線の波長域構造の特徴を有する請求項１ならびに請求項２ならびに請求項３ならびに請求項４に記載の一群のＰＤ継手ならびに一群のＰＤ部品。
【請求項６】
一対の端子において、左の端子より入光した光線は、接合面のＰＤ接合に費やされる光線とＰＤ接合に費やしきれない光線に分けられる。費やし切れなかった余った光線は、右の端子より光源へ帰還する特徴を有している。また、右の端子より入光した光線は、接合面のＰＤ接合に費やされる光線とＰＤ接合に費やしきれない光線に分けられる。費やし切れなかった余った光線は、右の端子より光源へ帰還する。また、右の端子より入光した光線で費やし切れなかった余った光線は、左の端子より光源へ帰還する特徴を有する。当該の特徴を有する光線の帰還構造の特徴を有する請求項１ならびに請求項２ならびに請求項３ならびに請求項４ならびに請求項５に記載の一群のＰＤ継手ならびに一群のＰＤ部品。
【請求項７】
請求項1に記載のインジケーターの配置構造と請求項５に記載の数値範囲を有する光線と請求項６に記載の帰還構造を有する一つのブロックを複数ブロック配備する一群のＰＤ継手。
【請求項８】
請求項1に記載のインジケーターの配置構造と請求項５に記載の数値範囲を有する光線と請求項６に記載の帰還構造を有する一つのブロックを複数ブロック配備する一群のＰＤ部品。
【請求項９】
ＰＤ接合に使用するＰＤ線に入光される光線は、波長１０６４ｎｍのＮｄ：ＹＡＧレーザー光線、あるいは、０．７８μｍより１０００μｍの赤外線波長域の光線、あるいは、赤外線波長域の光線と可視光線や紫外線などの波長域も含んだ光線であることを特徴とするＰＤ線に入光される光線の波長域あるいは光線の波長の数値範囲を有するＰＤ線を配備する前記全ての請求項に記載の一群のＰＤ継手ならびに一群のＰＤ部品。
【請求項１０】
一群の圧力抑制安全装置を装着する前記全ての請求項に記載の一群のＰＤ継手ならびに一群のＰＤ部品。
【発明の詳細な説明】
【技術分野】
【０００１】
本発明は、ポリエチレンや塩化ビニールなどの合成樹脂製の管継手ならびに開口部口を閉塞する部品を溶着固着あるいはＰＤ接合する接合方式であるＰＤ方式に関する一群の追加事項２に関する。
【０００２】
ならびに、ＰＤ接合により合成樹脂製の管に接合される各種の一群のＰＤ継手に関する。
【０００３】
ならびに、ＰＤ接合により合成樹脂製の継手に接合される各種の一群のＰＤ部品に関する。
【０００４】
および、前記一群のＰＤ継手および一群のＰＤ部品に付帯するインジケーターの配置構造に関する。
【０００５】
ならびに、ＰＤ接合に使用される一群をなす光線の種類と各波長に関する。
【０００６】
ならびに、一対の端子において、一方の端子より入光した光線では、ＰＤ接合に費やし切れなかった余った光線は、もう一方の端子より光源へ帰還する光線の帰還構造に関する。
【０００７】
ならびに、先行技術に記述のある一群の圧力抑制安全装置を装着する前記に記述の特徴を有する一群のＰＤ継手およびＰＤ部品に関する。
【０００８】
なお、ＰＤ接合とは光線の通路となるＰＤ線にレーザー光線や赤外線領域の波長を含む光線を通し、当該光線がＰＤ線の表面より線外へ漏出することによりＰＤ線周囲の合成樹脂や塩化ビニルなどをを加熱して溶融させて、溶着面やその他の接合面を当該材質にて組織的に一体化させる接合方法あるいは接合方式である。
【０００９】
なお、該ＰＤ接合あるいはＰＤ方式により合成樹脂製や塩化ビニル製などの管を接続するソケットなどの各種継手や管の外周面あるいは内周面の表面に取り付ける各種のサドル状継手、また導管の終端に取りつけて管路を閉塞させるキャップやパージ作業用の開口部および開口部口を有する合成樹脂キャップや電気融着プラグなどを総称してＰＤ継手とする。
【００１０】
また、前記の開口部口を閉塞する部品をＰＤ部品とする。なお、先行文献にある一群のＥＦ部品をＰＤ方式に代えた部品をＰＤ部品とする。
【００１１】
なお、ＰＤ線とは一対のＰＤ端子間を接続する一本の光線の通路となる線である。また、溶着面あるいは接合面に平行な円周面上あるいは平面上に埋め込まれ、ＰＤ線に入光されたレーザー光線や赤外線領域の波長を含む光線が、ＰＤ線の表面より線外へ漏出することにより周囲の合成樹脂や塩化ビニルなどを加熱溶融させ組織的に組織的に一体化させる目的の線である。
【００１２】
ここで、当該ＰＤ線の材質は石英ガラスやＢＫ７や他の光ファイバーの材質でよい。また、低密度ポリエチレンなどの無色透明の合成樹脂材質でもよい。
【００１３】
以上の、ＰＤ線やＰＤ端子やＰＤ接合やＰＤ方式などに用いているＰＤなる文言の語源は、非特許文献１の商標より命名した。
【００１４】
なお、一対のＰＤ端子とは、一対の端子がＰＤ線により接続されており、該一対の端子は、光源から延長されている光ファイバーの先端に取り付けられている光コネクターを接続して、光源より光ファイバーに入光されたレーザー光線や赤外線領域の波長を含む光線をＰＤ線へ伝達させる目的の端子である。また、片方の端子より入光された光線はＰＤ線を通過して残った光線はもう一方の端子より光源へ帰還する。
【背景技術】
【００１５】
先行技術の特許文献１には、管口径３００ミリ以内のＰＤ方式による接合法でＰＤ接合されるＰＤ継手が提案されている。しかしながら、配備される一本のＰＤ線に対してＰＤ接合状態を目視するインジケーターは、ＥＦ継手のインジケーターに準じて、２箇所のみにだけ配備されている。
【００１６】
先行技術の特許文献１および特許文献２には、使用する光線の波長についての説明が不足していた。
【００１７】
先行技術の特許文献３には、一群のＥＦ継手および一群のＥＦ部品が記述されているが、ＥＦ接合による継手や部品が記述されているのみである。なお、ＰＤ接合に関する一群のＰＤ継手ならびに一群のＰＤ部品については記述がない。
【００１８】
さらに、一群の圧力抑制安全装置を装着する一群のＰＤ継手ならびに一群のＰＤ部品については記述がない。
【先行技術文献】
【特許文献】
【００１９】
【特許文献１】特願２０１７−０９２０５９号
【特許文献２】特願２０１７−１００４３７号
【特許文献３】特願２０１７−０７８０８４号
【非特許文献】
【００２０】
【非特許文献１】商標登録第４１８５４２６号
【発明の概要】
【発明が解決しようとする課題】
【００２１】
背景技術に鑑みて、従来技術では、、配備される一本のＰＤ線に対してＰＤ接合状態を目視するインジケーターは、ＥＦ継手のインジケーターに準じて、２箇所のみにだけ配備されているのでＰＤ接合状態を全体について確認することができないという問題がある。この問題の解決することを第一課題とする。
【００２２】
先行技術の特許文献１および特許文献２には、使用する光線の波長についての説明が不足していたので、ここで追記して明確な説明とすることを第二課題とする。
【００２３】
先行技術の特許文献３には、一群のＥＦ継手および一群のＥＦ部品が記述されているがＥＦ接合による継手と部品が記述されているのみであり、ＰＤ接合に関する一群のＰＤ継手ならびに一群のＰＤ部品については記述がないので、ここで追記して明確な説明とすることを第三課題とする。
【００２４】
さらに、一群の圧力抑制安全装置を装着する一群のＰＤ継手ならびに一群のＰＤ部品については記述がないので、ここで追記して明確な説明とすることを第四課題とする。
【課題を解決するための手段】
【００２５】
そこで、配備される一本のＰＤ線に対してＰＤ接合状態を目視するインジケーターを全体に複数個散らして配備したインジケーターの配置構造であり、ＰＤ接合の状態を全体について確認出来るインジケーターの配置構造となっている。したがって、ＰＤ接合の状態を全体的に確認できるので第一課題を解決する手段とする（発明その１）。
【００２６】
先行技術の特許文献１および特許文献２には、使用する光線の波長についての説明が不足していたので、ここでＰＤ接合に使用される一群をなす光線の種類と各波長に関する追記をして明確な説明とすることで第二課題の解決手段とする（発明その２）。
【００２７】
先行技術の特許文献３には、一群のＥＦ継手および一群のＥＦ部品が記述されているがＥＦ接合による継手と部品が記述されているのみであり、ＰＤ接合に関する一群のＰＤ継手ならびに一群のＰＤ部品については記述がないので、ここで追記して明確な説明をすることで第三課題の解決手段とする（発明その３）。
【００２８】
さらに、一群の圧力抑制安全装置を装着する一群のＰＤ継手ならびに一群のＰＤ部品については記述がないので、ここで追記して明確な説明をすることで第四課題の解決手段とする（発明その４）。
【発明の効果】
【００２９】
そこで、配備される一本のＰＤ線に対してＰＤ接合状態を目視するインジケーターを全体に複数個散らして配備したインジケーターの配置構造であり、ＰＤ接合の状態を全体について確認出来るインジケーターの配置構造となっている。したがって、ＰＤ接合の状態を全体的に確認できるので第一課題を解決する効果と３００ミリ以上の大口径用のＰＤ継手やＰＤ部品でも全体的にＰＤ接合状態を目視確認できる効果がある（発明その１による効果）。
【００３０】
先行技術の特許文献１および特許文献２には、使用する光線の波長についての説明が不足していたので、ここでＰＤ接合に使用される一群をなす光線の種類と各波長に関する追記をして明確な説明とすることができた。それによって、第二課題を解決できる効果と請求範囲も明示できた（発明その２による効果）。
【００３１】
先行技術の特許文献３には、一群のＥＦ継手および一群のＥＦ部品が記述されているがＥＦ接合による継手と部品が記述されているのみであり、ＰＤ接合に関する一群のＰＤ継手ならびに一群のＰＤ部品については記述がなかったので、ここで追記して明確な説明とすることができた。それによって、第三課題を解決できる効果と請求範囲も明示できる効果がある（発明その３による効果）。
【００３２】
さらに、一群の圧力抑制安全装置を装着する一群のＰＤ継手ならびに一群のＰＤ部品については記述がないので、ここで追記して明確な説明とすることができた。それによって、第三課題を解決できる効果と請求範囲も明示できる効果がある（発明その４による効果）。
【図面の簡単な説明】
【００３３】
【図１】大口径ソケットＰＤ継手の全体斜視図
【図２】図１の断面図
【図３】ＡＡ−ＡＡ断面図
【図４】導管差し込み位置決め板
【図５】導管差し込み位置決め板の装着と導管差し込み断面図
【図６】ＰＤ継手のソケット全体斜視図
【図７】図６の正面図と側面図
【図８】図６の軸線を通る平面による断面図
【図９】インジケーター配置構造の展開図（一列状あるいは複数列状の配列形状）
【図１０】インジケーター配置構造の展開図（千鳥状の配列形状）
【発明を実施するための形態】
【００３４】
本発明は、従来のＥＦ線に通電するＥＦ接合と異なり、光の通路となるＰＤ線にレーザー光線や赤外線領域の波長の光線を通し、当該光線がＰＤ線の表面より線外へ漏出することにより合成樹脂製や塩化ビニル製のソケット本体の接合面ならびに管の外周面の接合面を加熱して溶融させて、接合面を合成樹脂ならびに塩化ビニルにて組織的に一体化させるＰＤ接合の形態をなしている。
【００３５】
当該のＰＤ接合に使用するＰＤ線に入光される光線は、波長１０６４ｎｍのＮｄ：ＹＡＧレーザー光線、あるいは、０．７８μｍより１０００μｍの赤外線波長域（近赤外線および中赤外線および遠赤外線域）の光線、あるいは、赤外線波長域の光線と可視光線や紫外線などの波長域も含んだ光線でも良いという特徴を有する光線の波長域の形態をなしている（発明その２）。
【００３６】
また、赤外線波長域の光線の光源には、代表的なハロゲンランプなどがあり、また、他のレーザー光線としては、ＣＯ２レーザーや半導体レーザーやエキシマレーザーの波長域であっても、現在では利用できないが、今後において利用方法や対応手段が開発された場合には使用できる形態も含まれている。
【００３７】
また、配備される一本のＰＤ線に対してＰＤ接合状態を目視するインジケーターを全体に複数個散らして配備したインジケーターの配置構造であり、ＰＤ接合の状態を全体について確認出来るインジケーターの配置構造となっている。したがって、ＰＤ接合の状態を全体的に確認できる形態をなしている（発明その１）。
【００３８】
さらに、複数個散らして配備することによって、３００ミリ以上の大口径用のＰＤ継手やＰＤ部品でも全体的に確認できる形態をなしている。
【００３９】
先行技術において、一群のＥＦ継手および一群のＥＦ部品が記述されているが、ＰＤ接合ＥＦ接合の明確な相違点と交換部位を記述することにより明確な説明とする形態をなしている。
【００４０】
さらに、上記の記載に準じて、一群の圧力抑制安全装置を装着する一群のＰＤ継手ならびに一群のＰＤ部品についての記述とする形態をなしている。
【実施例】
【００４１】
本説明は、合成樹脂製や塩化ビニル製の管を接続して管路の延伸を行うソケットＰＤ継手を一例として説明する。また、キャップやエルボなどの継手についても同様な説明ができる。さらに、サドル状の継手についても同様な説明を応用できるので省略する。また、一群のＰＤ部品についても同様である。
【００４２】
本発明の実施例を説明する。図１は、大口径ソケットＰＤ継手の全体斜視図を図示している。図２は、図１の断面図を図示している。図３は、ＡＡ−ＡＡ断面図を図示している。図４は、導管差し込み位置決め板を図示している。図５は、導管差し込み位置決め板の装着と導管差し込み断面図を図示している。
【００４３】
図１には、合成樹脂製や塩化ビニル製の大口径管を接続して管路の延伸を行う大口径ソケットＰＤ継手の全体斜視図が図示されている。
【００４４】
図１に図示されている大口径ソケットＰＤ継手は、１のＰＤ線と３の一対のＰＤ端子と７のインジケーターと７−１の散らして配置したインジケーター１と７−２の散らして配置したインジケーター２と７−３の散らして配置したインジケーター３により構成される一つのＰＤ線ブロック配置のＰＤ１をなしている。
【００４５】
また、ＰＤ１のＰＤ線ブロック配置１ならびに同様なＰＤ２のＰＤ線ブロック配置２および同様なＰＤ３のＰＤ線ブロック配置３および同様なＰＤ４のＰＤ線ブロック配置４と、９の導管差し込み位置決め板取り付け溝と、９ー１の導管差し込み位置決め板と１０の大口径ソケットＰＤ継手本体により構築されている。
【００４６】
つぎに、１のＰＤ線は、差し込まれる導管２０および２１の外周面と大口径ソケットＰＤ継手本体１０の内周面を接合するために、大口径ソケットＰＤ継手本体１０の内周面に平行な円周面上に埋め込まれて配備される（図１および図２および図３および図５を参照のこと）。
【００４７】
また、１のＰＤ線は、光線の通路となる当該ＰＤ線にレーザー光線や赤外線領域の波長を含む光線の通過経路となっている。当該光線がＰＤ線を通過する間に、線の表面より線外へ漏出する光線によりＰＤ線周囲の合成樹脂や塩化ビニルなどを加熱して溶融させて溶着固着あるいは接合させる。当該の溶着固着あるいは接合により接合面を合成樹脂や塩化ビニルなどにて組織的に一体化させる目的で配備されるＰＤ線である。
【００４８】
当該ＰＤ線の両端は、３の一対のＰＤ端子に接続されている（図２および図３を参照のこと）。ＰＤ端子は、光源（不図示）より光ファイバーによって伝送されてきた光線を光ファイバーの先端に取り付けてあるコネクター（不図示）をＰＤ端子に接続することによりＰＤ線へ光線を伝達する。
【００４９】
当該のＰＤ接合に使用するＰＤ線に入光される光線は、波長１０６４ｎｍのＮｄ：ＹＡＧレーザー光線、あるいは、０．７８μｍより１０００μｍの赤外線波長域（近赤外線および中赤外線および遠赤外線域）の光線、あるいは、赤外線波長域の光線と可視光線や紫外線などの波長域も含んだ光線でも良いという特徴を有する光線の波長域を有する（発明その２）。
【００５０】
また、赤外線波長域の光線の光源には、代表的なハロゲンランプなどがあり、また、他のレーザー光線としては、ＣＯ２レーザーや半導体レーザーやエキシマレーザーの波長域であっても、現在では利用できないが、今後において利用方法や対応手段が開発された場合には使用できる能性を秘めている。
【００５１】
当該のＰＤ線の材質は、石英ガラスやＢＫ７や他の光ファイバーに使用される材質であれば良い。また、低密度ポリエチレンなどの無色透明の合成樹脂の材質でもよい。
【００５２】
つぎに、７はインジケーターであり、ＰＤ線による溶融ならびに溶着が正常に行われたのかを目視出来る様に配備している。そして、７−１の散らして配置したインジケーター１と７−２の散らして配置したインジケーター２と７−３の散らして配置したインジケーター３である（発明その１）。
【００５３】
図１および図３に図示しているように、配備される一本のＰＤ線に対してＰＤ接合状態を目視するインジケーターを全体に複数個散らして配備し、ＰＤ接合の状態を全体について確認出来るインジケーターの配置構造をしている（発明その１）。
【００５４】
この配置構造により、ＰＤ継手やＰＤ部品における接合面と反対の外表面側に配備されるインジケーターは、ＰＤ接合する接合面に平行な平面上あるいは円周面上であって、ＰＤ継手やＰＤ部品の本体に埋め込まれて配備されたＰＤ線と間隔を空けてＰＤ線に乗るように配置され、一本のＰＤ線配置ブロックにおいて複数箇所に配備される特徴を有するＰＤ接合用のインジケーターの配置構造をなしている（発明その１）。
【００５５】
また、それぞれ独立する一本のＰＤ線配置ブロックに配備され、当該配置ブロックを複数ブロック配備する特徴を有するＰＤ接合用のインジケーターの複数ブロック配置構造を有して、大口径ソケットＰＤ継手に応用される。
【００５６】
また、当該のインジケーターは一列状あるいは複数列状ならびに千鳥状の配列形状を特徴とするインジケーターの配列形状を有するＰＤ接合用のインジケーターの配置構造である（図９および図１０を参照のこと。さらに発明その１である）。
【００５７】
当該のインジケーターは、一群のＰＤ継手ならびに一群のＰＤ部品に応用されて支障はない。また、一般的なＥＦ継手に配備されているインジケーターと同様で支障はない。また、より性能が良く安価なインジケーターでも何の支障はない。
【００５８】
つぎに、９−１の導管差し込み位置決め板は、図４に図示している正面図と側面図に図示の形状をしている。また、形状は他の形態をしていても支障は無く、１０の大口径ソケットＰＤ継手本体に一体に配備された９の導管差し込み位置決め板取り付け溝に装着され、差し込まれる導管の位置決めができる。
【００５９】
つぎに、図５を参照して、１０の大口径ソケットＰＤ継手本体に右側より差し込まれた２０の合成樹脂製あるいは塩化ビニル製の右側導管は、図示のように導管の先端が９−１で導管差し込み位置決め板に突き当たり導管２０の差し込み位置が決まる。同様に、左側より差し込まれた２１の合成樹脂製あるいは塩化ビニル製の左側導管も突き当たり導管２１の位置が決まる。
【００６０】
このように差し込まれる導管２０および２１は、切り管や定尺の直管だけではなく、先行技術の特開２０１５−２１２５７２号に記載の曲がり管Ｎであっても良い。また、埋設物を越した後に、該文献の図６に図示の曲がり管Ｎに定尺の導管や切り管を１０の大口径ソケットＰＤ継手本体を用いて接続しても良い。
【００６１】
さらに、該文献の図１６に記載の曲がり管Ｎの一部を切り取り、埋設穴と配管の軸心が僅か３度や５度ずれている場合に当該１０の大口径ソケットＰＤ継手本体にて接続することは現場では良く必要とされる場面が多い。また、２００ミリ以上の大口径の配管は、導管自体が撓みも少なく、小口径の導管の配管の様に、外力を加えて多少軸心を曲げて埋設穴に合わせる作業はとても難しい。したがって。該文献ならびに類似の文献に記載の曲がり管Ｎの必要性は、本発明の大口径ソケットＰＤ継手と併せて使用し、現場の作業性を格段に向上させる効果も特筆すべき点である。
【００６２】
つぎに、大口径対応のＰＤ線ブロック配置構造について、図１および図２および図３および図５を参照して、ＰＤ線ブロック配置構造は、３の一対のＰＤ端子と端子間をつなぐ１のＰＤ線と７のインジケーターより構成される１つのブロックをなしている。
【００６３】
さらに、図５において９ー１導管差し込み位置決め板に突き当たるまで１０の大口径ソケットＰＤ継手本体右側より差し込まれる２０の合成樹脂製あるいは塩化ビニル製の右側導管における外周面と、当該１０の大口径ソケットＰＤ継手本体における内周面をＰＤ接合させるＰＤ線は、ＰＤ１のＰＤ線ブロック配置１ならびにＰＤ２のＰＤ線ブロック配置２の２つの配置構造を有している。
【００６４】
さらに、図５において９ー１導管差し込み位置決め板に突き当たるまで１０の大口径ソケットＰＤ継手本体左側より差し込まれる２１の合成樹脂製あるいは塩化ビニル製の左側導管における外周面と、当該１０の大口径ソケットＰＤ継手本体における内周面をＰＤ接合させるＰＤ線は、ＰＤ３のＰＤ線ブロック配置３ならびにＰＤ４のＰＤ線ブロック配置４の２つの配置構造を有している。
【００６５】
さらに、図２と図５を参照して、図の下側に記載のあるＨＴはホット部であり、主な溶融部となる部分である。また、ＣＤはコールド部であり、主な溶融に関しない部分である。図中左側より、左ソケット端のＣＤは、隣のＰＤ４におけるＨＴ部の溶融した材質の合成樹脂や塩化ビニルなどがソケット外へ流れ出さないためにも必要である。ＰＤ４とＰＤ３の間にあるＣＤ注１は、省くことも可能であるが、ＰＤ４におけるＨＴ部の溶融した時の圧力を上げるために、左端のＣＤとＣＤ注１にてＰＤ４のＨＴ部を閉じ込めた方が、溶融した合成樹脂あるいは塩化ビニルの圧力を確実に保てると推測できる。
【００６６】
つぎに、ＰＤ３のＨＴ部があり、９の導管差し込み位置決め板取り付け溝の左側のＣＤは、ＰＤ３のＨＴ部の溶融した材質の合成樹脂や塩化ビニルなどが２１の合成樹脂製あるいは塩化ビニル製の左側導管の端から９の導管差し込み位置決め板取り付け溝の方へ流れ出るのを防ぎ、ＰＤ３のＨＴ部の溶融した材質の合成樹脂や塩化ビニルなどの圧力の降下を防ぐ上で必要である。
【００６７】
つぎに、９の導管差し込み位置決め板取り付け溝を境に右側も同様である。
【００６８】
以上が大口径ソケットＰＤ継手の全体の構造を記述した。また、小口径ソケットＰＤ継手においては、ＰＤ２ならびにＰＤ３を取り除いた構造でも支障はない。
【００６９】
従来の代表的なＥＦ継手である前記の一群のＥＦ継手において、ＥＦ接合するためのＥＦ線を本発明のＰＤ線に変更する。さらに、ＥＦ接合のためのＥＦ端子を本発明のＰＤ端子に変更する。インジケーターはＥＦ継手でもＰＤ継手でも同様で良い。以上の変更をするだけで、従来のＥＦ継手は本発明のＰＤ継手となる（発明その３）。
【００７０】
さらに、従来技術のＥＦ部品についても、同様な変更を加えるとＰＤ部品として生まれ変わる。さらに、従来技術のシルクハット状の保護用ＥＦ部品についても、同様な変更を加えるとシルクハット状の保護用ＰＤ部品として生まれ変わる。さらに、特許文献３における一群のＥＦ継手や一群のＥＦ部品についても、同様な変更を加えると一群のＰＤ継手や一群のＰＤ部品して生まれ変わる（発明その３）。
【００７１】
さらに、従来技術の一群の圧力抑制安全装置を前記の一群のＰＤ継手や一群のＰＤ部品
に装着しても支障はない（発明その３）。
【００７２】
つぎに、図６はＰＤ継手のソケット全体斜視図である。特許文献１および特許文献２に記載のソケットにインジケーターを複数個配備した斜視図である。図７は、図６の正面図と側面図である。図８は、図６の軸線を通る平面による断面図である。
【００７３】
本発明のＰＤ継手のソケットは、１のＰＤ線と３のＰＤ端子と５の左右ＰＤ線連結線と７のインジケーターと７−１の散らして配置したインジケーター１と７−２の散らして配置したインジケーター２と７−３の散らして配置したインジケーター３ならびに９の導管差し込み位置決め板取り付け溝と９−１の導管差し込み位置決め板と１０のソケットＰＤ継手本体により構成されている。
【００７４】
つぎに、１のＰＤ線は、差し込まれる導管の外周面とソケットＰＤ継手本体１０の内周面を接合するために、ソケットＰＤ継手本体１０の内周面に平行な円周面上に埋め込まれて配備される（図６および図７および図８を参照のこと）。
【００７５】
また、１のＰＤ線は、光線の通路となる当該ＰＤ線にレーザー光線や赤外線領域の波長を含む光線の通過経路となっている。当該光線がＰＤ線を通過する間に、線の表面より線外へ漏出する光線によりＰＤ線周囲の合成樹脂や塩化ビニルなどを加熱して溶融させて溶着固着あるいは接合させる。当該の溶着固着あるいは接合により接合面を合成樹脂や塩化ビニルなどにて組織的に一体化させる目的で配備されるＰＤ線である。
【００７６】
当該ＰＤ線の両端は、３の一対のＰＤ端子に接続されている（図２および図３を参照のこと）。ＰＤ端子は、光源（不図示）より光ファイバーによって伝送されてきた光線を光ファイバーの先端に取り付けてあるコネクター（不図示）をＰＤ端子に接続することによりＰＤ線へ光線を伝達する。
【００７７】
つぎに、５の左右ＰＤ線連結線は右側のＰＤ線と左側のＰＤ線を接続している部分である。この図のように、ＰＤ線と同様に１０のソケットＰＤ継手本体に埋め込められている。また、５の左右ＰＤ線連結線は、右側を巡ったＰＤ線を一部本体より外側に出し、本体の合成樹脂や塩化ビニルにて覆い尽くした後に、左側ＰＤ線へ延伸して一本のＰＤ線とした形状でも支障はない（不図示である）。
【００７８】
前述より、７−１の散らして配置したインジケーター１と７−２の散らして配置したインジケーター２と７−３の散らして配置したインジケーター３以外は、本発明その３に記述しているように、従来技術のＥＦ継手のソケットのＥＦ線をＰＤ線に、さらに、ＥＦ端子をＰＤ端子に代えることによりＰＤ継手に生まれ変わった状態である。
【００７９】
以上の散らして配備したインジケーターは、新技術のＰＤ接合で有り、まだ実績のない接合法であるのでＰＤ接合が各所で問題のない接合がされているのか確認して、実績を積み上げるために配備している。また、実績が確立された後でも配備していても支障はない。
【００８０】
さらに、大口径ＰＤ継手に関しては当然ながら配備箇所数は増やして目視で確認が必ず必要と推察する。
【００８１】
つぎに、図９は、インジケーター配置構造の展開図であり、一列状あるいは複数列状の配列形状の場合である。また、図１０は、インジケーター配置構造の展開図であり、千鳥状の配列形状の場合である。図９は、複数のインジケーターを一列に配列した配置形状をなしている。また、二列や複数列でも支障はない。図１０は、複数のインジケーターを千鳥状に配列した配置形状をなしている。
【００８２】
図９は、ＰＤ端子部付近を境にして外周表面側を平面上に展開させた図面である。一対のＰＤ端子の左側に接続されたＰＤ線（破線表示）は右側のＰＤ端子へ延伸している。この一本のＰＤ線に乗るように各インジケーターは配置されている。図７の正面図ならびに側面図と本図より明らかである。
【００８３】
さらに、図７の側面図より、インジケーターは、ＰＤ継手やＰＤ部品の本体に埋め込まれて配備されたＰＤ線と間隔を空けてＰＤ線に乗るように配置されいる。また、接合面と反対の外表面側に配備されるインジケーターは、本図のＰＤ継手のソケットではＰＤ接合する接合面に平行な円周面上に配備されている。また、ＰＤ接合する接合面に平行な平面上に配備される場合は、一群のＰＤ部品に配備される場合である。
【００８４】
以上のように、一本のＰＤ線配置ブロックにおいて複数箇所に配備される特徴を有するＰＤ接合用のインジケーターの配置構造が発明その１とする特徴である。
【００８５】
さらに、前述のＰＤ接合用のインジケーターの配置構造が、それぞれ独立する一本のＰＤ線配置ブロックに配備され、当該配置ブロックを複数ブロック配備する特徴を有するＰＤ接合用のインジケーターの複数ブロック配置構造とすることも一群の大口径ＰＤ継手や一群のＰＤ部品に有効な手段の一つである。
【００８６】
以上に記述しているような特徴を有するＰＤ継手やＰＤ部品におけるＰＤ接合での光線の経路について説明する。一対の端子において、左の端子より入光した光線は、接合面のＰＤ接合に費やされる光線とＰＤ接合に費やしきれない光線に分けられる。費やし切れなかった余った光線は、右の端子より光源へ帰還する特徴を有している。
【００８７】
また、右の端子より入光した光線は、接合面のＰＤ接合に費やされる光線とＰＤ接合に費やしきれない光線に分けられる。費やし切れなかった余った光線は、右の端子より光源へ帰還する。また、右の端子より入光した光線で費やし切れなかった余った光線は、左の端子より光源へ帰還する特徴を有する。
【００８８】
当該の特徴を有する光線の帰還構造がＰＤ方式によるＰＤ接合の大きな特徴である。
【産業上の利用可能性】
【００８９】
本発明は、小口径のＰＤ継手やＰＤ部品への応用ならびに大口径のＰＤ継手やＰＤ部品への応用はできるので、各種の一群のＰＤ継手やＰＤ部品への応用範囲は広い。
【符号の説明】
【００９０】
１      ＰＤ線
３      ＰＤ端子
５      左右ＰＤ線連結線
７      インジケーター
７−１  散らして配置したインジケーター１
７−２  散らして配置したインジケーター２
７−３  散らして配置したインジケーター３
９      導管差し込み位置決め板取り付け溝
９−１  導管差し込み位置決め板
１０    （大口径）ソケットＰＤ継手本体
ＰＤ１  ＰＤ線ブロック配置１
ＰＤ２  ＰＤ線ブロック配置２
ＰＤ３  ＰＤ線ブロック配置３
ＰＤ４  ＰＤ線ブロック配置４
ＨＴ    ホット部（主な溶融部）
ＣＤ    コールド部（主な溶融に関しない部分）
２０    合成樹脂製あるいは塩化ビニル製の右側導管
２１    合成樹脂製あるいは塩化ビニル製の左側導管
【図１】
2019002428.tif 000003
【図２】
2019002428.tif 000004
【図３】
2019002428.tif 000005
【図４】
2019002428.tif 000006
【図５】
2019002428.tif 000007
【図６】
2019002428.tif 000008
【図７】
2019002428.tif 000009
【図８】
2019002428.tif 000010
【図９】
2019002428.tif 000011
【図１０】
2019002428.tif 000012